【手続補正書】
【提出日】令和3年9月6日(2021.9.6)
【手続補正１】
【補正対象書類名】明細書
【補正対象項目名】００７９
【補正方法】変更
【補正の内容】
【００７９】
本明細書における態様は、その精神及び基本的な属性を逸脱することなしに、その他の形態において実施することができる。従って、その範囲を通知するものとして、参照は、上述の仕様ではなく、添付の請求項に対して実施することを要する。
本明細書に開示される発明は以下の態様を含む。
＜態様１＞
車両をリモート起動するシステムであって、
１つ又は複数のプロセッサと、
前記１つ又は複数のプロセッサに通信自在に結合されたメモリと、
を有し、
前記メモリは、
前記１つ又は複数のプロセッサによって実行された際に、前記１つ又は複数のプロセッサが、
電子決済に関する取引情報を受け取り、且つ、
前記取引情報を車両と関連付ける、
ようにする命令を含む支払情報モジュールと、
１つ又は複数のプロセッサによって実行された際に、前記１つ又は複数のプロセッサが、
前記車両が、前記電子決済が取引された販売場所から既定の距離以内に存在していると判定し、且つ、
前記車両に、前記車両の１つ又は複数のサブシステムを起動するリモート起動コマンドを送信する、
ようにする命令を含むリモート起動モジュールと、
を保存している、システム。
＜態様２＞
前記車両の前記１つ又は複数のサブシステムは、前記車両のエンジンを含む、態様１に記載のシステム。
＜態様３＞
前記車両の前記１つ又は複数のサブシステムは、前記車両の暖房、換気、及び空調（ＨＶＡＣ）サブシステムを含む、態様１に記載のシステム。
＜態様４＞
前記リモート起動モジュールは、前記リモート起動コマンドの送信が、１つ又は複数のユーザーの好みに基づいて、調整されるようにする命令を含む、態様１に記載のシステム。
＜態様５＞
前記１つ又は複数のユーザーの好みは、ユーザーの場所、車両の場所、天候、販売場所のアイデンティティ、時刻、及びユーザーのスケジュールされた活動のカレンダのうちの少なくとも１つを含む、態様４に記載のシステム。
＜態様６＞
前記リモート起動モジュールは、少なくとも部分的に、前記ユーザーの過去の選択肢の分析に基づいて、前記１つ又は複数のユーザーの好みを推定するための命令を含む、態様４に記載のシステム。
＜態様７＞
前記リモート起動モジュールは、ユーザーと関連するモバイル装置に、前記リモート起動コマンドが前記車両に送信されたという通知を送信するための更なる命令を含む、態様１に記載のシステム。
＜態様８＞
前記リモート起動モジュールは、前記車両に、前記車両がユーザーピックアップ場所まで自律的に運転するようにするリモートバレットコマンドを送信するための更なる命令を含む、態様１に記載のシステム。
＜態様９＞
車両をリモート起動する方法であって、
電子決済に関する取引情報を受け取るステップと、
前記取引情報を車両と関連付けるステップと、
前記車両が、前記電子決済が取引された販売場所から既定の距離以内に存在していると判定するステップと、
前記車両に、前記車両の１つ又は複数のサブシステムを起動するリモート起動コマンドを送信するステップと、
を有する方法。
＜態様１０＞
前記車両の前記１つ又は複数のサブシステムは、前記車両のエンジンを含む、態様９に記載の方法。
＜態様１１＞
前記車両の前記１つ又は複数のサブシステムは、前記車両の暖房、換気、及び空調（ＨＶＡＣ）サブシステムを含む、態様９に記載の方法。
＜態様１２＞
前記車両に、前記リモート起動コマンドを送信する前記ステップは、１つ又は複数のユーザーの好みに基づいて調整されている、態様９に記載の方法。
＜態様１３＞
前記１つ又は複数のユーザーの好みは、ユーザーの場所、車両の場所、天候、前記販売場所のアイデンティティ、時刻、及びユーザーのスケジュールされた活動のカレンダのうちの少なくとも１つを含む、態様１２に記載の方法。
＜態様１４＞
前記１つ又は複数のユーザーの好みは、少なくとも部分的に、前記ユーザーの過去の選択肢の分析に基づいて、推定されている、態様１２に記載の方法。
＜態様１５＞
ユーザーと関連するモバイル装置に、前記リモート起動コマンドが前記車両に送信されたという通知を送信するステップを更に有する、態様９に記載の方法。
＜態様１６＞
前記車両に、前記車両がユーザーピックアップ場所まで自律的に運転するようにするリモートバレットコマンドを送信するステップを更に有する、態様９に記載の方法。
＜態様１７＞
車両をリモート起動するシステムであって、
１つ又は複数のプロセッサと、
前記１つ又は複数のプロセッサに通信自在に結合されたメモリと、
を有し、
前記メモリは、
前記１つ又は複数のプロセッサによって実行された際に、前記１つ又は複数のプロセッサが、
前記車両において、前記車両と関連する人物によって取引された電子決済によって誘発されたリモート起動コマンドを受け取り、且つ、
前記リモート起動コマンドに応答して、前記車両のエンジン及び暖房、換気、及び空調（ＨＶＡＣ）サブシステムのうちの少なくとも１つを起動する、
ようにする命令を含むリモートコマンドモジュールを保存している、システム。
＜態様１８＞
前記リモートコマンドモジュールは、
前記車両において、リモートバレットコマンドを受け取り、且つ、
前記リモートバレットコマンドに応答して、前記車両をユーザーピックアップ場所まで自律的に運転するように、前記車両の自律型運転モジュールに命令する、
ための更なる命令を含む、態様１７に記載のシステム。
＜態様１９＞
車両をリモート起動する方法であって、
前記車両において、前記車両と関連する人物によって取引された電子決済によって誘発されたリモート起動コマンドを受け取るステップと、
前記リモート起動コマンドに応答して、前記車両のエンジン及び暖房、換気、及び空調（ＨＶＡＣ）サブシステムのうちの少なくとも１つを起動するステップと、
を有する方法。
＜態様２０＞
前記車両において、リモートバレットコマンドを受け取るステップと、
前記リモートバレットコマンドに応答して、前記車両をユーザーピックアップ場所まで自律的に運転するように、前記車両の自律型運転モジュールに命令するステップと、
を更に有する、態様１９に記載の方法。
【手続補正２】
【補正対象書類名】特許請求の範囲
【補正対象項目名】全文
【補正方法】変更
【補正の内容】
【特許請求の範囲】
【請求項１】
車両をリモート起動するシステムであって、
１つ又は複数のプロセッサと、
前記１つ又は複数のプロセッサに通信自在に結合されたメモリと、
を有し、
前記メモリは、
前記１つ又は複数のプロセッサによって実行された際に、前記１つ又は複数のプロセッサが、
電子決済が取引された販売場所を訪問するために前記車両を使用したユーザーにより行われた前記電子決済に関する取引情報を受け取り、
前記取引情報を前記車両と関連付けるようにする命令を含む支払情報モジュールと、
前記１つ又は複数のプロセッサによって実行された際に、前記１つ又は複数のプロセッサが、
前記車両が、前記電子決済が取引された前記販売場所から既定の距離以内に存在していると判定し、前記既定の距離は、好みとして、前記ユーザーにより構成され、
前記車両に、前記車両の１つ又は複数のサブシステムを起動するリモート起動コマンドを送信するようにする命令を含むリモート起動モジュールと、
を保存している、システム。
【請求項２】
前記車両の前記１つ又は複数のサブシステムは、前記車両のエンジンを含む、請求項１に記載のシステム。
【請求項３】
前記車両の前記１つ又は複数のサブシステムは、前記車両の暖房、換気、及び空調（ＨＶＡＣ）サブシステムを含む、請求項１に記載のシステム。
【請求項４】
前記リモート起動モジュールは、前記リモート起動コマンドの送信が、１つ又は複数のユーザーの好みに基づいて、調整されるようにする命令を含む、請求項１に記載のシステム。
【請求項５】
前記１つ又は複数のユーザーの好みは、ユーザーの場所、車両の場所、天候、前記販売場所のアイデンティティ、時刻、及びユーザーのスケジュールされた活動のカレンダのうちの少なくとも１つを含む、請求項４に記載のシステム。
【請求項６】
前記リモート起動モジュールは、少なくとも部分的に、前記ユーザーの過去の選択肢の分析に基づいて、前記１つ又は複数のユーザーの好みを推定するための命令を含む、請求項４に記載のシステム。
【請求項７】
前記リモート起動モジュールは、ユーザーと関連するモバイル装置に、前記リモート起動コマンドが前記車両に送信されたという通知を送信するための更なる命令を含む、請求項１に記載のシステム。
【請求項８】
前記リモート起動モジュールは、前記車両に、前記車両がユーザーピックアップ場所まで自律的に運転するようにするリモートバレットコマンドを送信するための更なる命令を含む、請求項１に記載のシステム。
【請求項９】
車両をリモート起動する方法であって、
電子決済が取引された販売場所を訪問するために前記車両を使用したユーザーにより行われた前記電子決済に関する取引情報を受け取るステップと、
前記取引情報を前記車両と関連付けるステップと、
前記車両が、前記電子決済が取引された前記販売場所から既定の距離以内に存在していると判定するステップであって、前記既定の距離は、好みとして、前記ユーザーにより構成される、ステップと、
前記車両に、前記車両の１つ又は複数のサブシステムを起動するリモート起動コマンドを送信するステップと、
を有する方法。
【請求項１０】
前記車両の前記１つ又は複数のサブシステムは、前記車両のエンジンを含む、請求項９に記載の方法。
【請求項１１】
前記車両の前記１つ又は複数のサブシステムは、前記車両の暖房、換気、及び空調（ＨＶＡＣ）サブシステムを含む、請求項９に記載の方法。
【請求項１２】
前記車両に、前記リモート起動コマンドを送信する前記ステップは、１つ又は複数のユーザーの好みに基づいて調整されている、請求項９に記載の方法。
【請求項１３】
前記１つ又は複数のユーザーの好みは、ユーザーの場所、車両の場所、天候、前記販売場所のアイデンティティ、時刻、及びユーザーのスケジュールされた活動のカレンダのうちの少なくとも１つを含む、請求項１２に記載の方法。
【請求項１４】
前記１つ又は複数のユーザーの好みは、少なくとも部分的に、前記ユーザーの過去の選択肢の分析に基づいて、推定されている、請求項１２に記載の方法。
【請求項１５】
ユーザーと関連するモバイル装置に、前記リモート起動コマンドが前記車両に送信されたという通知を送信するステップを更に有する、請求項９に記載の方法。
【請求項１６】
前記車両に、前記車両がユーザーピックアップ場所まで自律的に運転するようにするリモートバレットコマンドを送信するステップを更に有する、請求項９に記載の方法。
【請求項１７】
車両をリモート起動するシステムであって、
１つ又は複数のプロセッサと、
前記１つ又は複数のプロセッサに通信自在に結合されたメモリと、
を有し、
前記メモリは、
前記１つ又は複数のプロセッサによって実行された際に、前記１つ又は複数のプロセッサが、
前記車両において、電子決済が取引された販売場所を訪問するために前記車両を使用した人物によって取引された前記電子決済によって誘発されたリモート起動コマンドを受け取り、且つ、
前記リモート起動コマンドに応答して、前記車両のエンジン及び暖房、換気、及び空調（ＨＶＡＣ）サブシステムのうちの少なくとも１つを起動する、
ようにする命令を含むリモートコマンドモジュールを保存している、システム。
【請求項１８】
前記リモートコマンドモジュールは、
前記車両において、リモートバレットコマンドを受け取り、且つ、
前記リモートバレットコマンドに応答して、前記車両をユーザーピックアップ場所まで自律的に運転するように、前記車両の自律型運転モジュールに命令する、
ための更なる命令を含む、請求項１７に記載のシステム。
【請求項１９】
車両をリモート起動する方法であって、
前記車両において、電子決済が取引された販売場所を訪問するために前記車両を使用した人物によって取引された前記電子決済によって誘発されたリモート起動コマンドを受け取るステップと、
前記リモート起動コマンドに応答して、前記車両のエンジン及び暖房、換気、及び空調（ＨＶＡＣ）サブシステムのうちの少なくとも１つを起動するステップと、
を有する方法。
【請求項２０】
前記車両において、リモートバレットコマンドを受け取るステップと、
前記リモートバレットコマンドに応答して、前記車両をユーザーピックアップ場所まで自律的に運転するように、前記車両の自律型運転モジュールに命令するステップと、
を更に有する、請求項１９に記載の方法。